(57)【要約】ロール状の粘着メモ用紙を切り取ることなく、迅速に記入することができ、記入量に応じたサイズに用紙を切断することができる粘着メモ装置を提供する。裏面に粘着剤が塗布されたロール状のメモ用紙２を回転可能に保持する保持部４１０と、繰り出された用紙を貼着するメモ台４０３と、を含んで構成された粘着メモ装置４００において、メモ台の上側の表面に、繰り出された用紙の裏面を剥離可能に貼着させる剥離面４４０を形成すると共に、剥離操作部４３１を設け、カッター４０５を設けた。
2014103956.tif 000002
【特許請求の範囲】
【請求項１】
裏面に粘着剤が塗布されたロール状のメモ用紙（２）を回転可能に保持する保持部（１０、４１０）と、該保持部（１０、４１０）から繰り出された用紙（２）を貼着するメモ台（３、４０３）と、を含んで構成された粘着メモ装置（１、２００、３００、４００）であって、
前記メモ台（３、４０３）の上側の表面に、繰り出された用紙（２）の裏面を剥離可能に貼着させる剥離面を形成すると共に、
該剥離面に貼着された用紙（２）を剥離させるための剥離操作部（３１、４３１）を設け、剥離された用紙を切断するカッター（５、４０５）を設けたことを特徴とする粘着メモ装置。
【請求項２】
前記メモ台（３）を、前記保持部（１０）から用紙（２）を繰り出すための駆動ローラ（２０）と、該駆動ローラ（２０）と従動ローラ（３０）との間に巻回された無端ベルト（４０）と、該無端ベルト（４０）の上側搬送部（４１）の下方に、該上側搬送部（４１）に沿って配設された平板部（５０）と、によって構成し、前記無端ベルトの外側の表面において前記剥離面を形成すると共に、
該剥離面に貼着された状態で搬送された用紙（２）を剥離させるための剥離ローラ（３１）をもって前記剥離操作部を構成したことを特徴とする請求項１に記載の粘着メモ装置。
【請求項３】
前記剥離ローラ（３１）は、前記無端ベルト（４０）の内側に設けられて、前段のローラ（３０、２０）よりも外径が小さくなるように設計されたことを特徴とする請求項２に記載の粘着メモ装置。
【請求項４】
前記駆動ローラ（２０）の回転軸に駆動ギア（２１）を設け、該駆動ギア（２１）に噛合する操作ギア（１３）と同軸に、回動操作によって用紙を繰り出すためのハンドル（４）を設けたことを特徴とする請求項２又は請求項３に記載の粘着メモ装置。
【請求項５】
前記操作ギア（１３）と同軸にラチェット状の歯車（１４）を設けると共に、盤面に爪体（１５）を揺動可能に取り付けた回転盤（１６）を遊嵌し、
回動された前記ハンドル（４）を自動復帰させるための弾性部材（１７）を前記回転盤（１６）に設けたことを特徴とする請求項４に記載の粘着メモ装置。
【請求項６】
前記剥離ローラ（３１）を前記従動ローラとしたことを特徴とする請求項２〜請求項５の何れか１つの請求項に記載の粘着メモ装置。
【請求項７】
前記メモ台（３、４０３）の後端部に、起立可能な台座部（９、４０９）を設けると共に、該台座部（９、４０９）の近傍に前記保持部（１０、４１０）を設けたことを特徴とする請求項１〜請求項６の何れか１つの請求項に記載の粘着メモ装置。
【請求項８】
前記メモ台（４０３）の底部に、手中にて保持するための把持部（４５０）を設けたことを特徴とする請求項１〜請求項７の何れか１つの請求項に記載の粘着メモ装置。
【発明の詳細な説明】
【技術分野】
【０００１】
本発明は、ロール状の粘着性のメモ用紙に、手早く必要事項を記入することができる粘着メモ装置に関する。
【背景技術】
【０００２】
粘着性のメモ用紙を所望の長さに切断して使用できるように、所定幅の帯状の粘着紙をロール状に巻回して構成された、ロール状の粘着メモ用紙が各種提案されている。
このようなロールから用紙を繰り出して、任意の長さに切断するための装置として、ロール状の粘着メモ用紙をディスペンサーの本体内に回転可能に収納し、繰り出された用紙の先端部分をガイドローラに導き、ガイドローラに設けられたカム板に、ロールの巻取軸のカム板を噛み合わせることで、ロールの回転量に応じて用紙が繰り出されるようにし、繰り出された分をガイドローラの前方のカッターによって切断するものが提案されている（特許文献１）。【０００３】
また、ロール状の粘着メモ用紙と安全カッターを組み合わせて構成されたメモ用紙台も提案されている（特許文献２）。ロールを挟み込んで保持する２枚の側面板を、傾斜状の板片によって連結し、その板片の前縁にカッターを設けることで、所望の長さに引き出された用紙を切断できるようにしている。
【先行技術文献】
【特許文献】
【０００４】
【特許文献１】実用新案登録第２５２７０１１号公報
【特許文献２】実用新案登録第３０９０６８３号公報
【発明の概要】
【発明が解決しようとする課題】
【０００５】
しかしながら、上記の装置を使用してメモを取る場合、いずれもロール状の用紙を予め必要な長さに切断し、切断された用紙片を下敷などに一時的に貼付して、その上で必要事項を記載するという手順となるので、手早くメモを取ることができない。
特に、電話の内容のメモを取る場合など、事前に記載すべき情報の量を知ることが出来ない場合は、切り取るべき用紙の長さがわからないし、受話器を持ちながらの切断作業は困難である。【０００６】
そこで、本発明は、ロール状の粘着メモ用紙を切り取ることなく、迅速に記入することができ、記入量に応じたサイズに用紙を切断できる粘着メモ装置の提供を目的とする。
【課題を解決するための手段】
【０００７】
上記課題を解決するために、本発明は、裏面に粘着剤が塗布されたロール状のメモ用紙を回転可能に保持する保持部と、該保持部から繰り出された用紙を貼着するメモ台と、を含んで構成された粘着メモ装置であって、前記メモ台の上側の表面に、繰り出された用紙の裏面を剥離可能に貼着させる剥離面を形成すると共に、該剥離面に貼着された用紙を剥離させるための剥離操作部を設け、剥離された用紙を切断するカッターを設けたことを特徴とするものである。【０００８】
この場合、前記メモ台を、前記保持部から用紙を繰り出すための駆動ローラと、該駆動ローラと従動ローラとの間に巻回された無端ベルトと、該無端ベルトの上側搬送部の下方に、該上側搬送部に沿って配設された平板部と、によって構成し、前記無端ベルトの外側の表面において前記剥離面を形成すると共に、該剥離面に貼着された状態で搬送された用紙を剥離させるための剥離ローラをもって前記剥離操作部を構成してもよい。
【発明の効果】
【０００９】
本願発明に係る粘着メモ装置は、ロール状の粘着メモ用紙の保持部から繰り出された用紙を、一時的に貼着することが可能な剥離面をメモ台の上側の表面に形成すると共に、その剥離面に貼着された用紙を剥離させるための剥離操作部と、剥離された用紙を切断するカッターとを設けたので、ロールから用紙を繰り出しながら筆記することが可能となる。そのため、記載すべき情報の全てを１つの用紙に記載することができ、必要最小限の大きさの用紙に情報が過不足なく記載された粘着メモを、手早く作成することが可能となる。【００１０】
特に、メモ台を、ロール状のメモ用紙を保持部から繰り出すための駆動ローラと、従動ローラとの間に、外側に剥離面が形成された無端ベルトを巻回した構成とした場合、ロールから繰り出された粘着性のメモ用紙を、無端ベルトの外側表面に貼り付けた状態とすることができ、無端ベルトの上側搬送部の下方の平板部を下敷として筆記することができる。特に、無端ベルトの外側面を剥離面としたことで、用紙が足りなくなった場合に、素早くロールから用紙を繰り出すことが可能となる。
【図面の簡単な説明】
【００１１】
【図１】本発明の第１実施形態に係る粘着メモ装置を示す斜視図である。
【図２】上記粘着メモ装置の使用状態を示す平面図であり、（ａ）はメモを取る状態、（ｂ）はメモ用紙を繰り出した状態を示す。
【図３】上記粘着メモ装置の要部を分解した状態を示す斜視図。
【図４】上記粘着メモ装置の縦断面図であり、（ａ）は、図２におけるＡ−Ａ線で切断した状態の端面図、（ｂ）はＢ−Ｂ線で切断した状態の端面図、（ｃ）はＣ−Ｃ線で切断した状態の端面図である。
【図５】上記メモ装置の剥離操作部を示す説明図であり、（ａ）は、用紙が無端ベルトから引き剥がされる状態、（ｂ）は、剥離された用紙がハウジング外部に排出される状態を示す。
【図６】メモの内容について注意を喚起する場合の使用状態を示す斜視図である。
【図７】上記粘着メモ装置の第１変形例を示す斜視図である。
【図８】上記第１変形例の縦断面図であり、（ａ）はＡ−Ａ線で切断した状態の端面図、（ｂ）はＢ−Ｂ線で切断した状態の端面図、（ｃ）はＣ−Ｃ線で切断した状態の端面図である。
【図９】上記粘着メモ装置の第２変形例を示す斜視図である。
【図１０】上記第２変形例の縦断面図であり、（ａ）はＡ−Ａ線で切断した状態の端面図、（ｂ）はＢ−Ｂ線で切断した状態の端面図、（ｃ）はＣ−Ｃ線で切断した状態の端面図である。
【図１１】上記粘着メモ装置の第３変形例を示す斜視図である。
【図１２】上記第３変形例のハンドルの構造を示す分解図である。
【図１３】本発明の第２実施形態に係る粘着メモ装置を示す斜視図である。
【図１４】上記粘着メモ装置の使用状態を示す斜視図である。
【図１５】上記粘着メモ装置の分解図である。
【図１６】メモの内容について注意を喚起する場合の使用状態を示す斜視図である。
【図１７】上記粘着メモ装置の変形例を示す斜視図である。
【発明を実施するための形態】
【００１２】
本発明の好適な実施形態について、添付図面に基づいて説明する。なお、実施形態は以下の形態に限定されるものではなく、本発明の課題を解決しうるものであれば他の態様も実施可能である。
【実施例１】
【００１３】
図１は、本発明の実施形態に係る粘着メモ装置１を示す斜視図である。
この粘着メモ装置１は、図２に示すように、ロール状の粘着性のメモ用紙２に必要事項を記入し、メモ台３の側面に設けられたハンドル４を回転させることによって用紙２を送り出し、カッター５によって所望の長さに切断するためのものであり、図３に示すように、粘着メモロール２’を保持するための保持部１０と、粘着メモロール２’から用紙２を繰り出すための駆動ローラ２０と、繰り出された用紙２を搬送するための２つの搬送ローラ３０、３１と、それらのローラ２０、３０、３１の間に巻回された無端ベルト４０と、平板部５０と、によって構成されている（図４を参照）。【００１４】
保持部１０は、ロール状の粘着性のメモ用紙（即ち、粘着メモロール２’）を保持するための部位であり、メモ台３の後方位置に設けられて、その中に収容された粘着メモロール２’が下側から前方に向けて繰り出されるように設計されている。
保持部１０の上面は、粘着メモロール２’の出し入れを行う際に開閉できるよう、蓋部となっている。【００１５】
円筒形状の保持部１０の軸心部には、粘着メモロール２’を回転可能に取り付けるためのリール１１が設けられており、リール１１と同軸に連動ギア１２が設けられている（図３を参照）。
この連動ギア１２に噛み合うように、粘着メモロール２’から用紙２を繰り出すための操作ギア１３が設けられている。この操作ギア１３は、これと同軸に設けられたダイヤル状のハンドル４によって回転される。【００１６】
この操作ギア１３に噛み合うように駆動ギア２１が設けられており、この駆動ギア２１のシャフトに駆動ローラ２０が軸着されている。
駆動ローラ２０は、リール１１に回転可能に保持されている粘着メモロール２’から用紙２を繰り出して搬送させるためのもので、用紙２に対して所定の押圧力を作用させることができるように、摩擦抵抗の高い弾性部材によって転圧面を構成している。【００１７】
駆動ローラ２０による用紙２の搬送方向に沿って２つの搬送ローラ３０、３１が配設される。
これらの３つのローラ２０、３０、３１には、無端ベルト４０が巻回されている。この無端ベルト４０は、粘着メモロール２’から繰り出された用紙２を搬送するための無端軌道であり、外側の表面は、繰り出された用紙２の裏面（即ち、粘着面）を剥離可能に貼着させることができるように、摩擦抵抗が極めて低い状態の表面（即ち、剥離面）となっている。【００１８】
搬送ローラ３０、３１のうち搬送方向の最下流に配設されたローラ３１は、無端ベルト４０に貼り付けられた用紙２を剥離させるための剥離ローラとして機能するものであり、前段のローラ３０、２０よりも外径が小さくなるように設計されている。
この剥離ローラ３１の外径は、メモ用紙２の材質や粘着性、無端ベルト４０の平滑性などに応じて、用紙２が無端ベルト４０の外側表面から容易に剥離されるような値に設計するものとし、例えば、粘着メモ用紙２として汎用されている、弱粘性の紙製のシートの場合、１５ｍｍ以下（好ましくは１０ｍｍ以下、最適値は６ｍｍ）に設計するのが好ましい。【００１９】
このように、剥離ローラ３１の外径を小さく設計することによって、搬送された用紙２が剥離ローラ３１のカーブに沿って曲がろうとする際に撓みきれず、シートの張りによって剥離させることができる（図５を参照）。
保持部１０との連結部（すなわちハウジングの中間部）に位置する駆動ローラ２０に対し、その下流の搬送ローラ３０は、ハウジング前方に位置される。この２つのローラ２０、３０の間に、無端ベルト４０の上側搬送部４１の下方に、その搬送面に沿って平行に平板部５０が配設される。【００２０】
平板部５０は、用紙２にメモを記載する際の下敷として機能するものであり、プラスチック板や金属板など、平坦で硬質な板部材によって構成される。このような平板部５０の板面上に、無端ベルト４０の上側搬送部４１が略密着した状態で掛け渡される。
即ち、平板部５０に沿って略密着状態で移動する無端ベルト４０の上側搬送部４１に、メモ用紙２が貼着状態で搬送されることとなる。【００２１】
メモ台３の上面には、平板部５０の板面に相当する大きさの開口部６が形成されており、その開口部６から、３つのローラ２０、３０、３１に掛け渡された無端ローラ４０の上側搬送部４１の外側表面（即ち、剥離面）が表れ、その剥離面に用紙２が現れる。
メモ台３の上面の剥離ローラ３１の近傍位置には、保持部１０との間にスリット７が設けられる。本実施形態の場合、保持部１０の上面（即ち、蓋部）を傾斜状のガイド面として構成することで、剥離ローラ３１によって剥離された用紙２が、円滑にハウジングの外へと送り出されるようにしている。【００２２】
剥離ローラ３１の搬送先に位置するハウジング上面には、カッター５が取り付けられており、剥離ローラ３１によって剥離された用紙２が、所望の長さに送り出された際に切断できるようになっている。
メモ台３の側面には、筆記具を差し込んで保持するためのペン立て部８が設けられている。【００２３】
メモ台３の後端部には、メモの内容に対する注意を喚起する際に使用するための台座部９が設けられる。
この台座部９は、図６に示すように、メモ台３を起立させることで、メモ用紙の視認性を高めるためのもので、メモ台３の後壁部に、脚状の台座部９を回動可能に設け、メモ台３が起立する位置で係止されるように設計されている。【００２４】
上記構成の粘着メモ装置１の使用状態を説明する。
まず、粘着メモロール２’を保持部１０にセットし、リール１１から用紙２が繰り出される方向にハンドル３を回す。この際、ハンドル３を手前に回転させることによって、同軸の操作ギア１３が手前に回転し、リール１１と駆動ローラ２０が、ハンドル３とは反対方向に回転して用紙２が繰り出される。【００２５】
粘着メモロール２’から繰り出された用紙２は、ローラ２０、３０、３１に掛け渡された無端ローラ４０に貼着された状態で上側搬送面４１へと至る。この状態で机上に設置しておき、必要に応じて、メモ台３の開口部６に表れた用紙２にメモを書く（図２を参照）。
記載すべき内容が多い場合は、ハンドル４を操作して用紙２をロール２’から繰り出しながら記載する。そして、記載された部分だけ用紙２を繰り出して、カッター５によって切断する。【００２６】
ロール２’から用紙２を繰り出しながら筆記できるので、メモすべき情報の全てを１枚の用紙に記載することができる。記載量が少ない場合は、小さなサイズに切断することができるので、用紙２の無駄が生じない。
また、メモ台３の開口部６から用紙２が常に現われた状態なので、素早くメモをとることができる上、用紙２が貼着されている無端ベルト４０の下方には平板部５０が配設されているので、安定した下敷の上で筆記できる。【００２７】
特に、無端ベルト４０の内側に設けられた剥離ローラ３１を、前段のローラよりも外径が小さくなるように設計したので、無端ベルト４０に貼り付けられた状態で搬送されてきた用紙を、剥離ローラ３１の周面の曲率を利用して、搬送しながら剥離させることが可能となる。ロールから粘着性の用紙を剥離させるために、用紙を手で引っ張る必要がないので、机上に安定に設置するための手段（例えば、メモ台３に内蔵された錘など）を設ける必要がなく、軽量化が可能となる。
駆動ローラの回転軸に駆動ギアを設け、それによって回転するギアと同軸に、回動操作によって用紙を繰り出すためのハンドルを設けたので、ハンドル操作によって、用紙を自動的に繰り出させることができる。【００２８】
駆動ローラによって繰り出された用紙は、無端ベルトに貼り付けられた状態で剥離ローラに搬送されるが、用紙の下方に配設されたメモ台を下敷として筆記し、用紙を搬送させて前方のカッターで切断するので、必要最小限の大きさの用紙に、情報を過不足なく記載することが可能となる。
これによって、必要な情報が１枚の用紙に記載されたメモを、片手で手早く作成することができる。【００２９】
なお、本実施形態に係る粘着メモ装置１は、裏面に粘着剤が塗布されたロール状のメモ用紙２’を回転可能に保持する保持部１０と、該保持部１０から用紙２を繰り出すための駆動ローラ２０と、該駆動ローラ２０と従動ローラとの間に巻回された無端ベルト４０と、該無端ベルト４０の上側搬送部の下方に、該上側搬送部に沿って配設された平板部５０と、を含んで構成されたメモ台３において、無端ベルト４０の外側の表面に、繰り出された用紙２の裏面を剥離可能に貼着させる剥離面を形成すると共に、該剥離面に貼着された状態で搬送された用紙２を剥離させるための剥離ローラ３１を設け、剥離された用紙を切断するカッター５を設けた構成であれば如何なるものであってもよい。【００３０】
即ち、ベルトの外側表面に貼り付けられた状態で搬送されてきたメモ用紙を、剥離ローラによって剥離させてカッターで切断する構造のものであれば、如何なる構成であってもよいので、例えば、図７及び図８に示す粘着メモ装置１００のように、駆動ローラ２０と剥離ローラ３１の２つのローラによって用紙２を搬送するようにしてもよい。
この実施例のメモ台３は、粘着メモロール２’を回転可能に保持する保持部１０と、保持部１０からメモ用紙２を繰り出すための駆動ローラ２０と、従動ローラとしての剥離ローラ３１と駆動ローラ２０との間に巻回された無端ベルト４０と、無端ベルト４０の上側搬送部の下方に配設された平板部５０と、によって構成される。【００３１】
ハンドル４は、保持部１０のリール１１と同軸に取り付けられており、後方に向けて回転させることで、粘着メモロール２’から用紙２が繰り出されるようになっている。無端ベルト４０の外側表面には、粘着メモロール２’から繰り出された用紙２の裏面を剥離可能に貼着させるための剥離面が形成されており、それに貼付された状態で搬送されてきた用紙２を、メモ台３の前方位置に設けられた剥離ローラ３１によって剥離する。
この実施例においても、剥離ローラ３１の外径は、駆動ローラ２０の外径よりも小さく設計することで、貼着状態の用紙２を無端ベルト４０から用紙２が剥離させるようにしている。剥離された用紙２は、メモ台３の前壁面の上端に設けられたカッター５によって切断される。【００３２】
また、図９及び図１０に示す粘着メモ装置２００のように、駆動ローラ２０を前方に配置させ、駆動ローラ２０のシャフトと同軸にハンドル４を設けてもよい。この実施例においても、従動ローラとしての剥離ローラ３１の外径を、駆動ローラ２０の外径よりも小さく設計することで、貼着状態の用紙２が無端ベルト４０の外側搬送面から剥離される。
本実施例では、剥離ローラを従動ローラとしたことによって、部品点数を少なくすることができる。【００３３】
さらに、図１１に示す粘着メモ装置３００のように、ハンドル４を把手状に構成してもよい。
このハンドル４は、図１２に示すように、操作ギア１３と同軸にラチェット状の歯車１４を設け、盤面に爪体１５を揺動可能に取り付けた回転盤１６を操作ギア１３の回転軸に遊嵌し、回動されたハンドル４を自動復帰させるための捻りコイルばね１７を回転盤１６に設けている。
そして、回転軸の端部にキャップ１８を固定することで、キャップ１８の周面に設けられたスリット部１９から、ハンドル４の把手部が揺動可能に露出されるようになっている。【００３４】
このように構成することで、ハンドル４の回転によって、一定の回転角度ごとに操作ギア１３を回動させることが可能となる。ハンドル４は、捻りコイルばね１７によって元の位置に復帰されるので、ハンドル４の把手を押し下げるだけで、用紙２が等間隔に送り出される。
特に、ハンドルの回動軸に、ラチェット状の歯車を設けると共に盤面に爪体を揺動可能に取り付けた回転盤を遊嵌し、弾性部材によって回動されたハンドルを自動復帰させるようにしたので、ハンドルの逆周りが防止され、ハンドルを押し下げる操作のみで、用紙の繰り出すことができる。
【実施例２】
【００３５】
次に、本発明の第２実施形態に係る粘着メモ装置４００の構成を、図１３を参照して説明する。
この粘着メモ装置４００は、図１４に示すように、携帯して使用できるようにしたものであり、ロール状のメモ用紙２’を保持するための保持部４１０と、そこから繰り出された用紙２を貼着するメモ台４０３と、によって構成される。【００３６】
メモ台４０３は、合成樹脂製の材料によって構成されており、後方から前方に向けて低くなるように、三角形状の側壁部４２０が両側に設けられる。側壁部４２０の後方位置には、図１５に示すように、内側の壁面に、環状の突起部が設けられており、そこにリール４１１を回転可能に嵌め込むことで、ロール状の粘着メモ用紙２’を取り付けるための保持部４１０を形成している。【００３７】
左右の側壁部４２０、４２０は、中間部において夫々が連結されており、その連結部４２１の前側に形成されたスリット４３０を介して、メモ台４０３の上面に、平面部４４０を形成している。
この平面部４４０には、極めて摩擦係数の低い板部材が嵌め込まれており、保持部４１０から繰り出された粘着メモ用紙２を一時的に貼り付けるための剥離面となっている。この平面部４４０は、下敷として機能すべく、筆記具の材質に応じた硬さに設計されている。【００３８】
表面部４４０の前方位置には、側壁部４２０との角部を僅かに窪ませて、表面部４４０に貼着された用紙を剥離させるための剥離操作部４３１を形成している。
表面部４４０の前端部はエッジとなっており、平面部４４０から剥離された用紙を切断するためのカッター５０４として機能する。
メモ台４０３の後端部（保持部４１０の近傍位置）は、このメモ台４０３を起立させるための台座部４０９となっている。【００３９】
メモ台４０３の底部４５０は、手中に保持しやすいような湾曲形状となっており、一方の手で把持しながら、他方の手で筆記できるようになっている。
上記構成の粘着メモ装置４００の使用方法を説明する。
机上で使用する場合は、図１３に示すように、保持部４１０から用紙２を繰り出してメモ台４０３の上面（平面部４４０）に貼着した状態で設置される。メモをとる場合は、平面部４４０を下敷として筆記する。用紙が足りなくなった場合は、剥離操作部４３１を介して用紙２を剥離しながら引っ張る。リール４１２から繰り出された新たな用紙２を平面部４４０に貼り付け、新たな情報を記載する。【００４０】
記載された情報に対して注意を喚起させたい場合は、図１６に示すように、台座部４０９を下にして、メモ台４０３を起立させる。これによって、メモの内容の視認性が高まり、注意が喚起される。
携帯して使用する場合は、図１４に示すように、メモ台４０３の底部４５０を把持することで、片手で粘着メモ装置４００を持った状態で、メモをとることができる。【００４１】
本実施形態に係る粘着メモ装置４００も、ロール状の粘着メモ用紙２を、メモ台４０３の表面部に剥離可能に貼着できるように構成したので、ロールから用紙を繰り出しながら筆記することが可能となる。そのため、記載すべき情報の全てを１つの用紙に記入することができ、必要最小限の大きさの用紙に情報が過不足なく記載された粘着メモを、手早く作成することが可能となる。【００４２】
なお、本実施形態において、メモ台４０３には、必ずしも別部材からなる剥離面が設けられる必要はなく、図１７に示すように、メモ台の表面４４０’をもって剥離面としてもよい。また、別部材からなるカッター５を設けてもよいし、カッター５とメモ台４０３の表面４４０’との隙間をもって剥離操作部４３１’を構成してもよい。
なお、本実施形態の粘着メモ装置は携帯性を重視するものであるから、必ずしも机上に載置可能な形態である必要はない。
【産業上の利用可能性】
【００４３】
本発明は、ロール状の粘着性の用紙を切り取ることなく、その用紙に情報を記入することができる装置として、あらゆる産業分野において使用することができる。
【符号の説明】
【００４４】
１、１００、２００、３００、４００…粘着メモ装置
２…用紙（粘着メモ用紙）
３、４０３…メモ台
４…ハンドル
５、４０５…カッター
６…開口部
７…スリット
８…ペン立て部
９、４０９…台座部
１０、４１０…保持部
１１、４１１…リール
１２…連動ギア
１３…操作ギア
１４…歯車
１５…爪体
１６…回転盤
１７…捻りコイルばね（弾性部材）
１８…キャップ
１９…スリット部
２０…駆動ローラ
２１…駆動ギア
３０…搬送ローラ
３１…剥離ローラ（搬送ローラ、剥離操作部）
４０…無端ベルト（剥離面）
４１…上側搬送部
５０…平板部
４２０…側壁部
４２１…連結部
４３０…スリット
４３１…剥離操作部
４４０…平面部（剥離面）
４５０…底部（把持部）
【図１】
2014103956.tif 000003
【図２】
2014103956.tif 000004
【図３】
2014103956.tif 000005
【図４】
2014103956.tif 000006
【図５】
2014103956.tif 000007
【図６】
2014103956.tif 000008
【図７】
2014103956.tif 000009
【図８】
2014103956.tif 000010
【図９】
2014103956.tif 000011
【図１０】
2014103956.tif 000012
【図１１】
2014103956.tif 000013
【図１２】
2014103956.tif 000014
【図１３】
2014103956.tif 000015
【図１４】
2014103956.tif 000016
【図１５】
2014103956.tif 000017
【図１６】
2014103956.tif 000018
【図１７】
2014103956.tif 000019
【国際調査報告】
2014103956.tif 000020
2014103956.tif 000021
2014103956.tif 000022
2014103956.tif 000023